(57)【特許請求の範囲】
【請求項１】
下顎骨上に設けられる歯槽骨の欠歯領域でありかつ該歯槽骨の表層部に位置する歯肉内に、手術器具により切開された場合に、外部に流れ出す擬似血液が貯留された血液貯留部が設けられていることを特徴とするインプラント手術練習用の顎模型。
【請求項２】
前記歯槽骨内でありかつ血液貯留部の下方には、下顎管に相当する絶縁チューブが埋め込まれ、前記手術器具には、該手術器具が導通状態にあるか否かを検出する導通検出器が設けられており、
前記絶縁チューブは、チューブ本体と、該チューブ本体内に挿通された導通線とを有し、前記手術器具が、該チューブ本体を切断して前記導通線に接した場合に、前記導通検出器に対して警報を発せさせることを特徴とする請求項１に記載のインプラント手術練習用の顎模型。
【請求項３】
前記絶縁チューブのチューブ本体内には、導通性の擬似血液が充填されていることを特徴とする請求項２に記載のインプラント手術練習用の顎模型。
【請求項４】
前記血液貯留部及び絶縁チューブには、擬似血液を連続供給する血液供給装置が設けられていることを特徴とする請求項２または３のいずれかに記載のインプラント手術練習用の顎模型。
【請求項５】
上顎骨上に設けられる歯槽骨の欠歯領域でありかつ該歯槽骨の表層部に位置する歯肉内に、手術器具により切開された場合に、外部に流れ出す擬似血液が貯留された血液貯留部が設けられていることを特徴とするインプラント手術練習用の顎模型。
【請求項６】
前記歯槽骨と上顎洞との間には導通層が設けられ、前記手術器具には、該手術器具が導通状態にあるか否かを検出する導通検出器が設けられており、
前記導通検出器は、前記手術器具が導通層に接することで導通状態になった場合に、警報を発せさせることを特徴とする請求項５に記載のインプラント手術練習用の顎模型。
【請求項７】
前記血液貯留部には、擬似血液を連続供給する血液供給装置が設けられていることを特徴とする請求項６に記載のインプラント手術練習用の顎模型。
【発明の詳細な説明】
【技術分野】
【０００１】
本発明は、歯科医がインプラント手術練習時に使用して好適な顎模型に関する。
【背景技術】
【０００２】
失われた歯の機能を代用させる目的で、インプラント体を手術的に顎骨に植え付け、その上に、人工歯冠及び上部構造をつける一連の治療、いわゆるインプラント手術が実施されている。このようなインプラント手術は、ブリッジや有床義歯と違って、本来の歯の状態により近い機能及び形態の回復が図られ、また、周囲の歯を削る必要がないという利点がある。
【０００３】
そして、このようなインプラント手術を行うためには、例えば、特許文献１に外科手術用具として示されるメス（切断具）を使用して、下顎骨又は上顎骨の歯槽骨を切開することが必要となっている。
【先行技術文献】
【特許文献】
【０００４】
【特許文献１】特表平１１−５０２７５０号公報
【発明の概要】
【発明が解決しようとする課題】
【０００５】
しかしながら、上述したインプラント手術は技術を要するものであるが、これまで適当な練習用器具がないという問題があった。
例えば、下顎骨の歯槽骨には下歯槽神経と血管が並走する下顎管が通り、また、上顎骨には上顎洞があり、インプラント手術の際にこれら下顎管、上顎洞にメスやドリル等の手術器具が侵入しないように細心の注意を払う必要があり、このためにも適当な練習用器具が提供されることが期待されていた。またインプラント手術に伴う骨膜剥離の手技を練習するための器具も求められていた。
【０００６】
この発明は、上述した事情に鑑みてなされたものであって、歯科医がインプラント手術を行う際の技術を大きく向上させることができるインプラント手術練習用の顎模型の提供を目的とするものである。
【課題を解決するための手段】
【０００７】
上記課題を解決するために、この発明は以下の手段を提案している。まず、本発明は、下顎骨上に設けられる歯槽骨の欠歯領域でありかつ該歯槽骨の表層部に位置する歯肉内に、手術器具により切開された場合に、外部に流れ出す擬似血液が貯留される血液貯留部が設けられていることを特徴とする。
そして、このような発明では、歯槽骨の欠歯領域でありかつ該歯槽骨の表層部に位置する歯肉内に、擬似血液が貯留された血液貯留部を設けたので、インプラント手術の練習者が、メス等の切断具により歯肉を切開し、該切断具が血液貯留部に到達した場合に、血液貯留部内の擬似血液が、欠歯領域の表面に流れ出ることでリアリティのあるインプラント手術の練習ができる。
【０００８】
また、本発明のインプラント手術練習用の顎模型では、前記歯槽骨内でありかつ血液貯留部の下方には、下顎管に相当する絶縁チューブが埋め込まれ、前記切断具には、該切断具が導通状態にあるか否かを検出する導通検出器が設けられており、前記絶縁チューブは、チューブ本体と、該チューブ本体内に挿通された導通線とを有し、前記切断具が、該チューブ本体を切断して前記導通線に接した場合に、前記導通検出器に対して警報を発せさせることを特徴とする。
そして、このような本発明では、歯槽骨内でありかつ血液貯留部の下方に、下顎管に相当する絶縁チューブを埋め込み、切断具が、該絶縁チューブのチューブ本体を切断して内部の導通線に接した場合に、導通検出器に対して警報を発せさせるようにしたので、インプラント手術の練習者が、傷付けてはならない下顎管となる絶縁チューブにまで切断具が到達したことを確実に認識することができるともに、上述した擬似血液の出血と同様、リアリティのあるインプラント手術の練習ができる。
【０００９】
また、本発明のインプラント手術練習用の顎模型では、前記絶縁チューブのチューブ本体内には、導通性の擬似血液が充填されていることを特徴とする。
本発明では、切断具が絶縁チューブを切断した場合に、該絶縁チューブから導電性の擬似血液が流出するので、該擬似血液を介して間接的にメスと導通線との導通を図ることができ、導通検出器を確実に作動させることができる。また、絶縁チューブを切断した際にも擬似血液が流出することによって、先の血液貯留部からの擬似血液の流出と同様、リアリティのあるインプラント手術の練習ができる。
また、本発明のインプラント手術練習用の顎模型では、前記血液貯留部及び絶縁チューブには、擬似血液を連続供給する血液供給装置が設けられていることを特徴とする。
本発明では、血液貯留部及び絶縁チューブに、擬似血液を連続供給する血液供給装置を設けたので、切断具が血液貯留部、絶縁チューブを切開した場合に、擬似血液を連続的に流出させることができ、よりリアルなインプラント手術の練習を行うことができる。
【００１０】
また、本発明のインプラント手術練習用の顎模型では、上顎骨上に設けられる歯槽骨の欠歯領域でありかつ該歯槽骨の表層部に位置する歯肉内に、メス等の切断具により切開された場合に、外部に流れ出す擬似血液が貯留された血液貯留部が設けられていることを特徴とする。
本発明では、歯槽骨の欠歯領域でありかつ該歯槽骨の表層部に設けられた歯肉内に、擬似血液が貯留された血液貯留部を設けたので、インプラント手術の練習者が、切断具により歯肉を切開し、該切断具が血液貯留部に到達した場合に、血液貯留部内の擬似血液が、欠歯領域の表面に流れ出ることでリアリティのあるインプラント手術の練習ができる。
【００１１】
また、本発明のインプラント手術練習用の顎模型では、前記歯槽骨と上顎洞との間には導通層が設けられ、前記切断具には、該切断具が導通状態にあるか否かを検出する導通検出器が設けられており、前記導通検出器は、前記切断具が導通層に接することで導通状態になった場合に、警報を発することを特徴とする。
本発明では、歯槽骨と上顎洞との間に導通層を設け、導通検出器により、切断具が導通層に接することで導通状態になった場合に、警報を発するようにしたので、インプラント手術の練習者が、傷付けてはならない上顎洞にまで切断具が到達したことを確実に認識することができる。
【００１２】
また、本発明のインプラント手術練習用の顎模型では、前記血液貯留部には、擬似血液を連続供給する血液供給装置が設けられていることを特徴とする。
本発明では、血液貯留部に擬似血液を連続供給する血液供給装置を設けたので、切断具が血液貯留部を切開した場合に、擬似血液を連続的に流出させることができ、よりリアルなインプラント手術の練習を行うことができる。
【発明の効果】
【００１３】
本発明によれば、歯槽骨の欠歯領域でありかつ該歯槽骨の表層部に位置する歯肉内に、擬似血液が貯留された血液貯留部を設けたので、インプラント手術の練習者が、メス等の切断具により歯肉を切開し、該切断具が血液貯留部に到達した場合に、血液貯留部内の擬似血液が、欠歯領域の表面に流れ出ることでリアリティのあるインプラント手術の練習ができ、歯科医がインプラント手術を行う際の技術を大きく向上させることができる効果が得られる。
【図面の簡単な説明】
【００１４】
【図１】本発明の実施例１を示すインプラント手術練習用の顎模型の斜視図。
【図２】図２の顎模型にメスが入った状態を示す斜視図。
【図３】図１の顎模型の欠歯領域（イ）付近を示す縦断面図。
【図４】実施例１の変形例１を示す縦断面図
【図５】実施例１の変形例２を示す縦断面図
【図６】本発明の実施例２を示すインプラント手術練習用の顎模型の縦断面図。
【発明を実施するための形態】
【００１５】
［実施例１］
本発明の実施例１について図１〜図５を参照して説明する。
図１〜図３に示すものはインプラント手術練習用の下顎部分を示す顎模型であって、符号１は歯、符号２は下顎骨（例えば、支持プレートで構成される）、符号３は下顎骨２上に設けられて歯１を支える歯槽骨である。
図３に示すように、歯槽骨３を含む下顎骨２は多孔材料により全体が構成されており、その表層部分には、柔軟性を有するプラスチック材により歯肉４が形成されている。また、前記歯１は、符号（イ）で示される欠歯領域で一部が抜け落ちており、この欠歯領域（イ）にて歯肉４が上方側に露出している。また、歯肉４が露出している表層は、同様に柔軟性を有するプラスチック材からなる皮膜５が形成されている。前記皮膜５の内、下顎骨２に接する膜５Ａは、特に骨膜に相当する部分であって、１０〜５０μｍ厚の樹脂等で形成され、下顎骨２に対して粘着剤等の剥離可能な接着剤によって接着されている。
【００１６】
この欠歯領域（イ）に位置する歯肉４内には、図３に示すように擬似血液が貯留される血液貯留部１０が設けられている。この血液貯留部１０は、例えば、発泡ゴムからなる多孔材料１０Ａにより弾力性を有するように形成されたものであって、該多孔材料１０Ａ内には、非導電性の疑似血液が予め浸み込ませてある。そして、このような構成により、インプラント手術の練習者が、手術器具M（歯肉の切開にはメスが用いられ、骨への穿孔にはドリル等の切削具が用いられる）により皮膜５を含む歯肉４を切開し（図２及び図３参照）、該メスＭが血液貯留部１０に到達した場合に、血液貯留部１０の多孔材料１０Ａ内に貯留された擬似血液が、欠歯領域（イ）の表面に流れ出るようになっている。
なお、前記血液貯留部１０と歯肉４との間の境界部は防水処理されており、前記メスＭが入らない限りは、該血液貯留部１０内に貯留された非導電性の疑似血液は、外部に流れ出ないようになっている。
【００１７】
一方、歯槽骨３内でありかつ血液貯留部１０の下方には、下顎管（歯槽管）に相当する絶縁チューブ１１が埋め込まれている。この絶縁チューブ１１は、チューブ本体１２と、該チューブ本体１２内に挿通された導通線１３とを有するものであって、該導通線１３の末端は接地されている。また、この絶縁チューブ１１内には、導電性の疑似血液が予め充填されており、前記メスMにより絶縁チューブ１１が切断された場合に、該導電性の疑似血液を介して間接的に導電線１３との導通が図られる。
また、前記メスＭは、信号線２０を通じて導通計測器２１に接続されている。導通計測器２１は、信号線２０の末端部が接地される構成であり、メスＭを介して前記導電線１３との導通が図られた場合に、導通ＯＮを検出する。そして、この導通計測器２１では、導通ＯＮを検出した場合に、警報（痛いという音声、ブザー、ランプ点灯など）が出力されるように設定がなされている。
なお、前記血液貯留部１０内に充填される非導電性の疑似血液としては、赤い油脂等の油性溶液が使われ、また、前記絶縁チューブ１１内に充填される導電性の疑似血液としては、イオンを含む赤い水等の水性溶液が使用される。
【００１８】
そして、以上のように構成されたインプラント手術練習用の下顎部分を示す顎模型では、下顎骨２上の歯槽骨３の欠歯領域（イ）であり、かつ該歯槽骨３の表層部に位置する歯肉４内に、擬似血液が貯留された血液貯留部１０を設けたことから、インプラント手術の練習者がメスＭにより皮膜５を含む歯肉４を切開し、該メスＭが血液貯留部１０に到達した場合に、血液貯留部１０に貯留された擬似血液が、欠歯領域（イ）の表面に流れ出ることでリアリティのあるインプラント手術の練習ができる。
また、歯槽骨３内でありかつ血液貯留部１０の下方に、下顎管に相当する絶縁チューブ１１を埋め込み、かつメスＭが導通状態にあるか否かを検出する導通検出器２１を設けたので、該メスＭにより絶縁チューブ１１が切断された場合に、該メスＭと導電線１３との導通が図られることで、導通計測器２１では導通ＯＮの検出及び警報出力がなされる。これによってインプラント手術の練習者は、メスＭが、傷付けてはならない下顎管となる絶縁チューブ１１にまで到達したことを確実に認識することができる。
また、メスＭが絶縁チューブ１１を切断した場合に、該絶縁チューブ１１から導電性の擬似血液が流出するので、該擬似血液を介して間接的にメスＭと導通線１３との導通を図ることができ、導通検出器２１を確実に作動させることができる。また、メスＭが絶縁チューブ１１を切断した際にも、該絶縁チューブ１１から擬似血液が流出するので、先の血液貯留部１０からの擬似血液の流出と同様、リアリティのあるインプラント手術の練習ができる。
また、前記皮膜５の内、特に骨膜に相当する部分５Ａが下顎骨２に対して剥離可能に接着されているから、下顎骨２から骨膜を剥離する手技を練習することができる。
【００１９】
（変形例１）
なお、上記実施例では、前記血液貯留部１０内には、非導電性の疑似血液として赤い油脂等の油性溶液を充填し、また、前記絶縁チューブ１１内に導電性の疑似血液としてイオンを含む赤い水等の水性溶液を充填したが、このような擬似血液は、予め充填しておくのではなく、図４に示すような擬似血液供給装置３０により連続的に供給しても良い。
この擬似血液供給装置３０は、前記血液貯留部１０用の非導電性の疑似血液が貯留される第１タンク３１と、前記絶縁チューブ１１用の導電性の疑似血液が貯留される第２タンク３２と、前記タンク３１及び血液貯留部１０とを接続する管路３３と、前記タンク３２及び絶縁チューブ１１とを接続する管路３４と、これら管路３３・３４の途中に設けられてこれら血液貯留部１０及び絶縁チューブ１１に対して擬似血液を供給するポンプ３５・３６と、から構成される。
【００２０】
そして、このような擬似血液供給装置３０では、ポンプ３５・３６の駆動によって血液貯留部１０及び絶縁チューブ１１に対して擬似血液を連続供給することができるので、よりリアルなインプラント手術の練習を行うことができる。
なお、この擬似血液供給装置３０では、インプラント手術練習時において、常時、血液貯留部１０及び絶縁チューブ１１内の擬似血液に一定の圧力がかかるように、ポンプ３５・３６に対して吐出圧を維持する駆動制御をするとともに、メスＭによりこれら血液貯留部１０及び絶縁チューブ１１内の擬似血液が流出して吐出圧が減少した場合に、これらポンプ３５・３６の出力をアップさせる制御を行うと良い。
【００２１】
（変形例２）
変形例１では、前記血液貯留部１０用の非導電性の疑似血液と、前記絶縁チューブ１１用の導電性の疑似血液とを別々のタンク３１・３２に収容したが、これに限定されず、図５に示すように、同一のタンク３７に収容しても良い。
この場合、血液貯留部１０内に充填される非導電性の疑似血液として油性溶液が使われ、また、前記絶縁チューブ１１内に充填される導電性の疑似血液として水性溶液が使用されているので、これら擬似血液をタンク３７内に共に投入して暫く置いておけば、該タンク３７内の上層部に油性溶液（符号３７Ａで示す）が分離し、該タンク３７内の下層部に水性溶液（符号３７Ｂで示す）が分離する。これによって管路３３を通じてタンク３７内の上層部から油性溶液３７Ａを抽出し、また、管路３４を通じて該タンク３７内の下層部から水性溶液３７Ｂを抽出すれば、共用のタンク３７に２種類の擬似血液を共に貯留することができ、変形例１と比較して全体構成の簡素化を図ることができる。
【００２２】
また、メスＭによりこれら血液貯留部１０及び絶縁チューブ１１から流出した擬似血液を回収するために、該擬似血液を受けるトレイ４０、該トレイ４０とタンク３７とを接続する管路４１、該管路４１に設けられてトレイ４０に回収した擬似血液をタンク３７に送るポンプ４２とからなる回収装置４３を設けると良い。そして、この回収装置４３により、擬似血液を再度、タンク３７内に戻すようにすれば、該擬似血液の有効利用を図ることができる。
この場合、タンク３７に回収した油性溶液３７Ａと水性溶液３７Ｂの混合物は、上述したように暫く放置しておけば、該タンク３７で上層、下層に分離することになり、これら油性溶液３７Ａと水性溶液３７Ｂを再度、循環使用できるものである。
【００２３】
［実施例２］
本発明の実施例２について図６を参照して説明する。この図６に示すものはインプラント手術練習用の上顎部分を示す顎模型であって、符号５０は上顎骨（例えば、支持プレートで構成される）符号５１は上顎骨５０上に設けられて歯１を支える歯槽骨である。
【００２４】
歯槽骨５１を含む上顎骨５０は多孔材料により全体が構成されており、その表層部分には、柔軟性を有するプラスチック材により歯肉５２が形成されている。また、前記歯１は、符号（ロ）で示される欠歯領域で一部が抜け落ちており、この欠歯領域（ロ）にて歯肉５２が下方側に露出している。また、歯肉５２が露出している表層は、同様に柔軟性を有するプラスチック材からなる皮膜５３が形成されている。
前記皮膜５３の内、歯槽骨５１に接する膜５３Ａは、特に骨膜に相当する部分であって、１０〜５０μｍ厚の樹脂等で形成され、歯槽骨５１に対して粘着剤等の剥離可能な接着剤によって接着されている。
【００２５】
この欠歯領域（ロ）に位置する歯肉５２内には、擬似血液が貯留される血液貯留部５４が設けられている。この血液貯留部５４は、例えば、発泡ゴムからなる多孔材料５４Ａにより弾力性を有するように形成されたものであって、該多孔材料５４Ａ内には、非導電性の疑似血液が予め浸み込ませてある。そして、このような構成により、インプラント手術の練習者が、メスＭにより皮膜５３を含む歯肉５２を切開し、該メスＭが血液貯留部５４に到達した場合に、血液貯留部５４の多孔材料５４Ａに貯留された擬似血液が、欠歯領域（ロ）の表面に流れ出るようになっている。
なお、前記血液貯留部５４と歯肉５２との間の境界部は防水処理されており、前記メスＭが入らない限りは、該血液貯留部５４内に貯留された非導電性の疑似血液は、外部に染み出ないようになっている。
【００２６】
一方、歯槽骨５１の上部には上顎洞５５があり、該上顎洞５５と歯槽骨５１との境界には、導通シート５６が設けられている。
該導通シート５６は、導通線５７を介して接地されており、実施例１と同様のメスＭが導通シート５６に接触した場合に導通が図られる。そして、導通計測器２１では、メスＭを介して導通シート５６との導通が図られた導通ＯＮの場合に、警報（痛いという音声、ブザー、ランプ点灯など）が出力されるように設定がなされている。
この導通シート５６として、いわゆるシュナイダー膜を模した厚さを採用すれば、導通シート５６を持ち上げる「サイナスリフト」の手技の練習にも利用することができる。
【００２７】
そして、以上のように構成されたインプラント手術練習用の上顎部分を示す顎模型では、上顎骨５０上の歯槽骨５１の欠歯領域（ロ）でありかつ該歯槽骨５１の表層部に位置する歯肉５２内に、擬似血液が貯留された血液貯留部５４を設けたことから、インプラント手術の練習者が、メスＭにより皮膜５３を含む歯肉５２を切開し、該メスＭが血液貯留部５４に到達した場合に、血液貯留部５４の多孔材料５４Ａに貯留された擬似血液が、欠歯領域（ロ）の表面に流れ出ることでリアリティのあるインプラント手術の練習ができる。
また、前記皮膜５３の内、特に骨膜に相当する部分５３Ａが歯槽骨５１に対して剥離可能に接着されているから、歯槽骨５１から骨膜を剥離する手技を練習することができる。
また、上記インプラント手術練習用の上顎部分を示す顎模型では、歯槽骨５１と上顎洞５５との間に導通シート５６を設け、かつメスＭが導通状態にあるか否かを検出する導通検出器２１を設けたので、メスＭが導通シート５６に接することで導通状態になった場合に、導通検出器２１によって導通ＯＮの検出及び警報出力がなされる。これによってインプラント手術の練習者は、メスＭが、傷付けてはならない上顎洞５５にまで到達したことを確実に認識することができる。なお、上顎洞５５内には、導電性液体を充填して、手術具Mが上顎洞５５に達した旨の警報を動作させるようにしてもよく、また、空気等の圧力ガスを封入しておき、上顎洞５５の内部と外気圧との圧力差を利用して導通シート（シュナイダー膜に相当）５６を圧力差によって変形させる手技の練習に用いることができるようにしてもよい。
【００２８】
なお、実施例２では、血液貯留部５４内に疑似血液を充填したが、このような擬似血液は、予め充填しておくのではなく、先の図４に示すような擬似血液供給装置３０により連続的に供給するようにしても良い。また、実施例２では、導通層として導通シート５６を使用したが、これに限定されず、導通線を一定間隔で配置することで導通層を形成しても良い。
【００２９】
上記実施例１及び２では、切断具としてメスＭを使用したが、ドリル等の切削器具であっても良く、切断具の形態はメスＭに限定されるものではない。
【００３０】
以上、本発明の実施形態について図面を参照して詳述したが、具体的な構成はこの実施形態に限られるものではなく、本発明の要旨を逸脱しない範囲の設計変更等も含まれる。また、上記実施形態の模型には疑似歯が設けられているが、歯のない無歯顎の模型に本発明を適用することができるのは勿論である。
【産業上の利用可能性】
【００３１】
本発明は、歯科医がインプラント手術練習時に使用できる顎模型に関する。
【符号の説明】
【００３２】
１  歯
２  下顎骨
３  歯槽骨
４  歯肉
１０  血液貯留部
１１  絶縁チューブ
２１  導通計測器
３０  擬似血液供給装置
５０  上顎骨
５１  歯槽骨
５２  歯肉
５３  皮膜
５４  血液貯留部
５５  上顎洞
５６  導通シート（導通層）
Ｍ  メス（切断具）
イ  欠歯領域
ロ  欠歯領域
【図１】
0005490451.tif 000002
【図２】
0005490451.tif 000003
【図３】
0005490451.tif 000004
【図４】
0005490451.tif 000005
【図５】
0005490451.tif 000006
【図６】
0005490451.tif 000007